(57)【要約】【課題】天候や気温に左右されることなく効率的に植物を栽培することができ、コンテナ内の温度差に起因する生育不良が発生し難い栽培施設を提供する。【解決手段】栽培施設１０は、複数のコンテナ１１，１２，１３，１４，１５，１６，１７を配列し、隣り合うコンテナ１１〜１７の間にそれぞれ連通部を設けて構築され、コンテナ１２，１３，１４，１５，１６内に配列された複数の水耕栽培装置２１と、水耕栽培装置２１へ養分を含む水を供給する給水装置４８と、各コンテナ１１〜１７内の温度及び湿度を調整する空調機２０，３３，３８と、コンテナ１２，１３，１４，１５，１６内へ炭酸ガスを供給するガスボンベ２３と、コンテナ１２，１３，１４，１５，１６内を照明する発光体と、を備え、コンテナ１２，１３，１４，１５，１６内の空気を複数の水耕栽培装置２１に向かって循環送風する送風手段が設けられている。【選択図】図１
2012080783.tif 000002
【特許請求の範囲】
【請求項１】
複数のコンテナを配列し、隣り合う前記コンテナの間にそれぞれ連通部を設けて構築された栽培施設であって、前記コンテナ内に配列された複数の水耕栽培装置と、前記水耕栽培装置へ養分を含む水を供給する給水装置と、前記コンテナ内の温度及び湿度を調整する空調機と、前記コンテナ内へ炭酸ガスを供給する給気手段と、前記コンテナ内を照明する発光体と、を備え、前記コンテナ内の空気を複数の前記水耕栽培装置に向かって循環送風する送風手段を設けたことを特徴とする栽培施設。
【請求項２】
前記水耕栽培装置として、前記コンテナ内に配置された複数段の水槽と、前記水槽内の水に浮いた状態に保持された植栽用パレットと、を設けたことを特徴とする請求項１記載の栽培施設。
【請求項３】
前記コンテナの連通部の周囲に気密部材を介在させたことを特徴とする請求項１または２記載の栽培施設。
【請求項４】
前記水耕栽培装置からの収穫物の集荷から荷造りまでを行う作業室を前記コンテナ内に設けたことを特徴とする請求項１〜３のいずれかに記載の栽培施設。
【発明の詳細な説明】
【技術分野】
【０００１】
本発明は、自然環境から区画された領域内において野菜や茸類などの各種植物の栽培を行う施設に関する。
【背景技術】
【０００２】
輸送用若しくは倉庫用のコンテナ内において野菜や菌類の栽培を行う技術については、従来、多くの提案が行われているが、本願発明に関連するものとして、特許文献１，２記載の栽培装置がある。これらの栽培装置は、コンテナ内の気温、湿度、炭酸ガス濃度、明るさなどの制御手段を備え、これらの制御手段を用いて、コンテナ内を植物生育に適した状況に保つことによって植物を栽培するものである。
【先行技術文献】
【特許文献】
【０００３】
【特許文献１】特開２００４−２４２６６０号公報
【特許文献２】特開２００３−１８０１５８号公報
【発明の概要】
【発明が解決しようとする課題】
【０００４】
特許文献１，２などに記載された従来の栽培装置においては、コンテナ内の温度を調節する手段として空調機が用いられているが、実際にはコンテナ内の温度を均等にコントロールすることは極めて困難である。特に、複数の栽培容器が棚状に配置された栽培装置の場合、コンテナ内の上方に位置する栽培容器付近と、下方に位置する栽培容器付近との間には温度差が生じることが多い。
【０００５】
このため、従来の栽培装置においては、コンテナ内の温度差により、生育状態あるいは熟成状態のバラつきなどの生育不良が生じることがある。
【０００６】
本発明が解決しようとする課題は、天候や気温に左右されることなく効率的に植物を栽培することができ、コンテナ内の温度差に起因する生育不良が発生し難い栽培施設を提供することにある。
【課題を解決するための手段】
【０００７】
本発明の栽培施設は、複数のコンテナを配列し、隣り合う前記コンテナの間にそれぞれ連通部を設けて構築された栽培施設であって、前記コンテナ内に配列された複数の水耕栽培装置と、前記水耕栽培装置へ養分を含む水を供給する給水装置と、前記コンテナ内の温度及び湿度を調整する空調機と、前記コンテナ内へ炭酸ガスを供給する給気手段と、前記コンテナ内を照明する発光体と、を備え、前記コンテナ内の空気を複数の前記水耕栽培装置に向かって循環送風する送風手段を設けたことを特徴とする。ここで、コンテナとは、複数の柱材及び梁材を縦横に配列し、節点を接合して形成した直方体状の格子構造体の床面、天井面及び壁面に板材を装着して形成したものをいう。
【０００８】
また、前記水耕栽培装置として、前記コンテナ内に配置された複数段の水槽と、前記水槽内の水に浮いた状態に保持された植栽用パレットと、を設けることが望ましい。
【０００９】
さらに、前記コンテナの連通部の周囲に気密部材を介在させることが望ましい。
【００１０】
一方、前記水耕栽培装置からの収穫物の集荷から荷造りまでを行う作業室を前記コンテナ内に設けることもできる。
【発明の効果】
【００１１】
本発明により、天候や気温に左右されることなく効率的に植物を栽培することができ、コンテナ内の温度差に起因する生育不良が発生し難い栽培施設を提供することができる。
【図面の簡単な説明】
【００１２】
【図１】本発明の実施形態である栽培施設の概略構成を示す図である。
【図２】図１に示す栽培施設を構成するコンテナの水平断面図である。
【図３】図２に示すコンテナの垂直断面図である。
【図４】図３における矢線Ａ方向から見た図である。
【図５】図１に示す栽培施設を構成する水耕栽培装置付近の部分斜視図である。
【図６】図５に示す水耕栽培装置の端部付近の垂直断面図である。
【図７】図６に示す水耕栽培装置の一部分解斜視図である。
【図８】図６に示す水耕栽培装置の一部省略斜視図である。
【図９】コンテナ同士の連通部付近の水平断面図である。
【発明を実施するための形態】
【００１３】
図１〜図５に示すように、栽培施設１０は、複数のコンテナ１１，１２，１３，１４，１５，１６，１７を配列し、隣り合うコンテナ１１〜１７の間に連通部を設けて構築され、コンテナ１２，１３，１４，１５，１６内に配列された複数の水耕栽培装置２１と、水耕栽培装置２１へ養分を含む水を供給する給水装置４８と、各コンテナ１１〜１７内の温度及び湿度を調整する空調機２０，３３，３８と、コンテナ１２，１３，１４，１５，１６内へ炭酸ガスを供給する給気手段であるガスボンベ２３と、コンテナ１２，１３，１４，１５，１６内を照明する発光体４９と、を備え、コンテナ１２，１３，１４，１５，１６内の空気を複数の水耕栽培装置２１に向かって循環送風する送風手段５０が設けられている。
【００１４】
コンテナ１１には作業者が出入りするためのドア１９が設けられ、その内部に手洗い器具３７、エアシャワー室１８などが配置されている。コンテナ１１とコンテナ１２との連通部にドア４７が設けられ、コンテナ１２内には、棚状に配列された複数の水耕栽培装置２１及び空調機２０などが配置されている。コンテナ１２，１３，１４，１５，１６は略同じ構造であり、これらのコンテナ１２〜１６内にそれぞれ設けられた作業スペース１２ａ〜１６ａを横断するようにローラコンベア４４が配置されている。各コンテナ１２〜１６内には、脚立４５やベルトコンベア４６などの作業補助具が配置されている。コンテナ１６とコンテナ１７との連通部にはドア４２が設けられ、コンテナ１６内のドア４２上方にはエアカーテン４３が配置されている。
【００１５】
コンテナ１７は、その内部をドア３５付きの隔壁３４で区画して形成された作業室１７ａと、作業室１７ａ以外の領域を隔壁５１で区画して形成された発芽室３１及び育苗室３２と、を備えている。作業室１７ａ側の外壁にはドア３６及び窓４０が設けられ、作業室１７ａ内には、手洗い器具３７、空調機３８、作業台３９及びローラコンベア４１が配置されている。ドア４２が開いたとき、ローラコンベア４１は、ローラコンベア４４に接続可能である。発芽室３１及び育苗室３２にはそれぞれ空調機３３が配置されている。
【００１６】
コンテナ１２〜１６内に配列された複数の水耕栽培装置２１へ養分を含む水を供給する給水装置４８は、液肥タンク２５、供給ポンプ２６、循環ポンプ２７及び水タンク２８を備えている。水タンク２８内の水は循環ポンプ２７によって給水経路３０を経由して各水耕栽培装置２１へ供給され、各水耕栽培装置２１を上から下へ順次通過した後、復水経路２２を経由して水タンク２８内へ戻る。水タンク２８内の水は、常時、フィルタ５２及び浄水器２９によって循環浄化されている。
【００１７】
液肥タンク２５内の液肥は供給ポンプ２６によって復水経路２２内へ送り込まれ、復水経路２２内を流動する水に混入された状態で水タンク２８内へ戻り、水タンク２８内で均一混合されて養分を含んだ水となり、前述した循環ポンプ２７によって複数の水耕栽培装置２１へ供給される。なお、液肥タンク２５内から水耕栽培装置２１へ供給される液肥の濃度、供給量、供給時期などは、栽培される植物の種類や生育状況などに応じて設定された制御条件によって自動調整される。
【００１８】
また、給気手段であるガスボンベ２３は、コンテナ１１〜１７の外に配置され、ガスボンベ２３内に貯留されている炭酸ガス（二酸化炭素）は、ガス配管２４を経由してコンテナ１２〜１６内へ供給され、その供給時期及び供給量などは、コンテナ１２〜１６内の炭酸ガス濃度に応じて自動調整される。
【００１９】
図２〜図５に示すように、コンテナ１２〜１６内には、それぞれの長手方向の通路５４を挟んで複数段の棚板５３が設けられ、それぞれの棚板５３上に水耕栽培装置２１が配置され、棚板５３の下面（若しくは水耕栽培装置２１の上方）に複数の発光体４９が配列されている。発光体４９は蛍光灯を使用しているが、これに限定しないので、ＬＥＤ発光体や面状発光体などを使用することもできる。
【００２０】
水耕栽培装置２１を保持する棚板５３の背面側（通路５４の反対側）には、各コンテナ１２〜１６内の空気をそれぞれの水耕栽培装置２１に向かって循環送風する送風手段５０が設けられている。送風手段５０は、各コンテナ１２〜１６内の空気を吸い込むファン５５と、ファン５５によって吸い込んだ空気を棚板５３上の水耕栽培装置２１に向かって送り出す吹出口５６付きのダクト５７と、を備えている。
【００２１】
図６，図７に示すように、水耕栽培装置２１は、各棚板５３上に配置された水槽５８と、水槽５８内の水Ｗに浮いた状態に保持された植栽用パレット５９と、を備えている。植栽用パレット５９には、下方に向かって縮径した複数の貫通孔５９ａが開設され、それぞれの貫通孔５９ａに植物Ｐが植えられている。植栽用パレット５９は発泡合成樹脂で形成されているが、水Ｗに浮く材質であれば他の材料で形成することもできる。
【００２２】
水槽５８は、棚板５３の周縁上方をリング状に包囲するように配置された複数段の囲繞部材６０，６１と、棚板５３の端縁部に位置する囲繞部材６０，６１の内側に配置された本立て形状の補強部材６２と、棚板５３の上面及び囲繞部材６０，６１の内側に敷設された遮水シート６３と、遮水シート６３の周縁を囲繞部材６０，６１に係止する断面Ｃ字状の弾性係止部材６４と、を備えている。図７に示すように、囲繞部材６０，６１は、棚板５３の長手方向に沿って配置される直線管状のロッド部材６０ａ，６１ａと、棚板５３の端縁部付近においてロッド部材６０ａ，６１ａの端部同士を連結する「かすがい」形状の連結部材６０ｂ，６１ｂと、で形成されている。
【００２３】
前述したように、栽培施設１０は、コンテナ１２〜１６内の温度及び湿度を調整する空調機２０と、コンテナ１２〜１６内へ炭酸ガスを供給するガスボンベ２３と、コンテナ１２〜１６内に配列された複数の水耕栽培装置２１へ養分を含む水を供給する給水装置４８と、コンテナ１２〜１６内を照明する発光体４９と、を備えているため、天候や気温に左右されることなく効率的に植物Ｐを栽培することができる。
【００２４】
また、コンテナ１２〜１６内の空気を複数の水耕栽培装置２１それぞれに向かって循環送風する送風手段５０が設けられているため、コンテナ１２〜１６内の温度差に起因する生育不良が発生し難い。さらに、水耕栽培装置２１の植栽用パレット５９は、棚板５３上の水槽５８内の水Ｗに浮いた状態に保持されているため、水平方向の移動が極めて容易である。
【００２５】
従って、図８に示すように、水槽５８の先端部５８ａ側に位置する植栽用パレット５９の端部に取り付けられた把持具６７に先端部６８ａを結び付けたロープ６８を、植栽用パレット５９下方の水Ｗ中に沈めた状態で水槽５８の基端部５８ｂ側まで延設しておけば、基端部５８ｂ側に位置する植栽用パレット５９を取り出す度にロープ６８を引いて、次の植栽用パレット５９を基端部５８ｂ側へ引き寄せることができる。このため、例えば、収穫時期などに作業者が水槽５８の基端部５８ｂ側に居たままで植栽用パレット５９を順次引き寄せながら収穫作業を行うことが可能であり、作業者の負担軽減及び作業効率の向上を図ることができる。
【００２６】
また、収穫作業が終わり、植栽用パレット５９が回収された後の水槽５８内に新たな植栽用パレット５９をセットする場合、前述と逆に、水槽５８の基端部５８ｂ側に浮かべた植栽用パレット５９を順次、先端部５８ａ側へ押し出しながら作業を行うことができる。このため、植栽用パレット５９のセット作業も作業者が水槽５８の基端部５８ｂ側に居たままで実行可能であり、作業者の負担軽減及び作業効率の向上に有効である。
【００２７】
一方、図９に示すように、隣り合うコンテナ同士、例えば、コンテナ１２，１３同士の間に設けられた連通部６５の周囲には、断熱性及び弾力性を有する気密部材６６が介在されているため、コンテナ１２〜１６内の温度、湿度、炭酸ガス濃度などを適切レベルに保持する上で有効である。
【００２８】
また、図１に示すように、栽培施設１０においては、コンテナ１７内に作業室１７ａが設けられているため、天候に左右されることなく、水耕栽培装置２１からの収穫物の集荷から荷造りまでを行うことができる。なお、栽培施設１０は例示であり、本発明の栽培装置はこれに限定されるものではない。
【産業上の利用可能性】
【００２９】
本発明の栽培施設は、天候や気温に左右されることなく、野菜や茸類などの各種植物を栽培する施設として広く利用することができる。
【符号の説明】
【００３０】
１０  栽培施設
１１，１２，１３，１４，１５，１６，１７  コンテナ
１２ａ，１３ａ，１４ａ，１５ａ，１６ａ  作業スペース
１７ａ  作業室
１８  エアシャワー室
１８  ドア
２０，３８  空調機
２１  水耕栽培装置
２２  復水経路
２３  ガスボンベ
２４  ガス配管
２５  液肥タンク
２６  供給ポンプ
２７  循環ポンプ
２８  水タンク
２９  浄水器
３０  給水経路
３１  発芽室
３２  育苗室
３３  空調機
３４，５１  隔壁
３５，３６，４２，４７  ドア
３７  手洗い器具
３９  作業台
４０  窓
４１，４４  ローラコンベア
４３  エアカーテン
４５  脚立
４６  ベルトコンベア
４８  給水装置
４９  発光体
５０  送風手段
５２  フィルタ
５３  棚板
５４  通路
５５  ファン
５６  吹出口
５７  ダクト
５８  水槽
５８ａ，６８ａ  先端部
５８ｂ  基端部
５９  植栽用パレット
６０，６１  囲繞部材
６０ａ，６１ｂ  ロッド部材
６０ｂ，６１ｂ  連結部材
６２  補強部材
６３  遮水シート
６４  弾性係止部材
６５  連通部
６６  気密部材
６７  把持具
６８  ロープ
Ｐ  植物
Ｗ  水
【図１】
2012080783.tif 000003
【図２】
2012080783.tif 000004
【図３】
2012080783.tif 000005
【図４】
2012080783.tif 000006
【図５】
2012080783.tif 000007
【図６】
2012080783.tif 000008
【図７】
2012080783.tif 000009
【図８】
2012080783.tif 000010
【図９】
2012080783.tif 000011